(57)【要約】【課題】  食べ残した料理を持ち帰る旨の注文を複数の従業員が容易に共有することが可能なオーダーシステムおよびオーダー方法を提供する。【解決手段】  メニュー入力部１２が、メニュー表示部１５に表示された受付完了注文の中から選択された持ち帰り料理を示す持ち帰り注文を受け付けると、制御部１３は、その持ち帰り注文を通信部１１から管理装置２に送信する。管理装置２は、その持ち帰り注文を出力装置３に送信する。出力装置３の通信部３１が、持ち帰り注文を受信すると、出力部３２は、その持ち帰り注文を、料理の注文と異なる形態で出力する。例えば、出力部３２の表示部３２ａは、その持ち帰り注文を、特定の色と異なる所定の色で表示する。また、出力部３２のプリンタ３２ｂは、その持ち帰り注文を、特定の色と異なる所定の色で印刷する。【選択図】      図１
2007041773.tif 000002
【特許請求の範囲】
【請求項１】
料理の注文を受け付けるオーダー入力装置と、前記オーダー入力装置にて受け付けられた料理の注文を管理する管理装置と、前記管理装置にて管理された料理の注文を出力する出力装置と、を含むオーダーシステムであって、
前記オーダー入力装置は、
前記受け付けられた料理の注文を表示する表示部と、
前記表示部に表示された料理の注文のうちのいずれかを、持ち帰る料理として選択する旨の持ち帰り注文を受け付ける入力部と、
前記入力部が前記持ち帰り注文を受け付けると、その受け付けられた持ち帰り注文を前記管理装置に送信するオーダー入力側通信部と、を含み、
前記管理装置は、
前記オーダー入力側通信部から送信された持ち帰り注文を受信する管理側通信部と、
前記管理側通信部が前記持ち帰り注文を受信すると、その受信された持ち帰り注文を前記出力装置から出力させる制御部と、を含む、オーダーシステム。
【請求項２】
請求項１に記載のオーダーシステムにおいて、
前記管理装置は、前記料理の注文を格納する格納部をさらに含み、
前記オーダー入力装置は、前記持ち帰り注文の受付を開始する旨の受付開始情報を受け付ける受付部をさらに含み、
前記オーダー入力側通信部は、前記受付部が前記受付開始情報を受け付けると、前記料理の注文を要求する旨の要求情報を、前記管理装置に送信し、その後、前記管理装置から前記料理の注文を受信し、
前記表示部は、前記オーダー入力側通信部にて受信された料理の注文を表示し、
前記制御部は、前記管理側通信部が前記要求情報を受け付けると、前記管理側通信部に、前記格納部に格納された料理の注文を前記オーダー入力装置へ送信させる、オーダーシステム。
【請求項３】
請求項１または２に記載のオーダーシステムにおいて、
前記制御部は、前記持ち帰り注文を、前記料理の注文と異なる形態で、前記出力装置から出力させる、オーダーシステム。
【請求項４】
料理の注文を受け付けるオーダー入力装置と、前記オーダー入力装置にて受け付けられた料理の注文を管理する管理装置と、前記管理装置にて管理された料理の注文を出力する出力装置と、を含むオーダーシステムが行うオーダー受付方法であって、
前記オーダー入力装置が、前記受け付けられた料理の注文を表示する表示ステップと、
前記オーダー入力装置が、前記表示された料理の注文のうちのいずれかを、持ち帰る料理として選択する旨の持ち帰り注文を受け付ける入力ステップと、
前記オーダー入力装置が、前記受け付けられた持ち帰り注文を前記管理装置に送信する持ち帰り注文送信ステップと、
前記管理装置が、前記送信された持ち帰り注文を受信する持ち帰り注文受信ステップと、
前記管理装置が、前記受信された持ち帰り注文を前記出力装置から出力させる出力制御ステップと、を含む、オーダー受付方法。
【請求項５】
請求項４に記載のオーダー受付方法において、
前記管理装置は、前記料理の注文を格納する格納部を含み、
前記オーダー入力装置が、前記持ち帰り注文の受付を開始する旨の受付開始情報を受け付ける受付ステップと、
前記オーダー入力装置が、前記受付開始情報を受け付けると、前記料理の注文を要求する旨の要求情報を、前記管理装置に送信する要求情報送信ステップと、
前記管理装置が、前記要求情報を受け付けると、前記格納部に格納された料理の注文を前記オーダー入力装置へ送信する注文送信ステップと、
前記オーダー入力装置が、前記料理の注文を受信する注文受信ステップと、をさらに含み
前記表示ステップでは、前記オーダー入力装置が、前記受信された料理の注文を表示する、オーダー受付方法。
【請求項６】
請求項４または５に記載のオーダー受付方法において、
前記出力制御ステップでは、前記管理装置が、前記持ち帰り注文を、前記料理の注文と異なる形態で、前記出力装置から出力させる、オーダー受付方法。
【発明の詳細な説明】
【技術分野】
【０００１】
本発明は、オーダーシステムおよびオーダー受付方法に関し、特には、ドギーバック（お客が食べ残した料理を容器に入れてそのお客に渡すサービス）に関するオーダーを受け付けることが可能なオーダーシステムおよびオーダー受付方法に関する。
【背景技術】
【０００２】
従来、種々のオーダーシステムが提案されている。
【０００３】
例えば、特許文献１（特開２００１−８４２９４号公報）には、注文品を、店内提供用、持ち帰り用、出前用等の注文形態とともに表示するキッチンディスプレーを含むオーダーシステムが記載されている。なお、このオーダーシステムでは、注文形態は、注文とともに受け付けられる。
【特許文献１】特開２００１−８４２９４号公報
【発明の開示】
【発明が解決しようとする課題】
【０００４】
特許文献１に記載のオーダーシステムは、食べ残した料理を持ち帰る旨の注文、すなわち、ドギーバックの注文を受け付けることができない。
【０００５】
このため、お客は、店内で食べ残した料理を持ち帰る場合、ドギーバックする旨を口頭で従業員に伝えなければならない。したがって、ドギーバックする旨は、特定の従業員、換言すると、ドギーバックする旨が伝えられた従業員にしか伝達されない。
【０００６】
よって、従業員は、ドギーバックする旨を受け付けると、持ち帰る料理をお客に確認し、その確認された料理を引き上げ、梱包し、梱包が済んだ料理をお客に渡すまでの一連の作業をすべて行わなければならなかった。
【０００７】
そのため、ドギーバックする旨を伝えられた従業員は、その一連の作業を行っている間、他の作業を行うことができなくなる。また、従業員は、忙しいときにドギーバックする旨を伝えられると、忙しさを理由に、その要求を断ってしまう可能性がある。その結果、サービスの質が低下し、また、ゴミが増加してしまう。
【０００８】
本発明の目的は、食べ残した料理を持ち帰る旨の注文を複数の従業員が容易に共有することが可能なオーダーシステムおよびオーダー方法を提供することである。
【課題を解決するための手段】
【０００９】
上記の目的を達成するために、本発明のオーダーシステムは、料理の注文を受け付けるオーダー入力装置と、前記オーダー入力装置にて受け付けられた料理の注文を管理する管理装置と、前記管理装置にて管理された料理の注文を出力する出力装置と、を含むオーダーシステムであって、前記オーダー入力装置は、前記受け付けられた料理の注文を表示する表示部と、前記表示部に表示された料理の注文のうちのいずれかを、持ち帰る料理として選択する旨の持ち帰り注文を受け付ける入力部と、前記入力部が前記持ち帰り注文を受け付けると、その受け付けられた持ち帰り注文を前記管理装置に送信するオーダー入力側通信部と、を含み、前記管理装置は、前記オーダー入力側通信部から送信された持ち帰り注文を受信する管理側通信部と、前記管理側通信部が前記持ち帰り注文を受信すると、その受信された持ち帰り注文を前記出力装置から出力させる制御部と、を含む。
【００１０】
また、本発明のオーダー受付方法は、料理の注文を受け付けるオーダー入力装置と、前記オーダー入力装置にて受け付けられた料理の注文を管理する管理装置と、前記管理装置にて管理された料理の注文を出力する出力装置と、を含むオーダーシステムが行うオーダー受付方法であって、前記オーダー入力装置が、前記受け付けられた料理の注文を表示する表示ステップと、前記オーダー入力装置が、前記表示された料理の注文のうちのいずれかを、持ち帰る料理として選択する旨の持ち帰り注文を受け付ける入力ステップと、前記オーダー入力装置が、前記受け付けられた持ち帰り注文を前記管理装置に送信する持ち帰り注文送信ステップと、前記管理装置が、前記送信された持ち帰り注文を受信する持ち帰り注文受信ステップと、前記管理装置が、前記受信された持ち帰り注文を前記出力装置から出力させる出力制御ステップと、を含む。
【００１１】
上記の発明によれば、持ち帰り注文が受け付けられ、かつ、その受け付けられた持ち帰り注文が出力される。持ち帰り注文の出力により、持ち帰り注文を受け付けた従業員と異なる従業員も、持ち帰り注文を受け付けたことを容易に認識することが可能となる。
【００１２】
このため、持ち帰り注文を受け付けた従業員と異なる従業員は、持ち帰り注文を受け付けた従業員から作業応援の指示を受けなくても、その持ち帰り注文に応じた作業を行うことが可能になる。
【００１３】
よって、持ち帰り注文に応じた一連の作業を複数の従業員で分担でき、店舗内での作業効率が向上する。
【００１４】
また、持ち帰り料理は、既に受けてけられた料理の注文の中から選択される。このため、持ち帰り料理を誤認する可能性を低くすることが可能になる。
【００１５】
なお、前記管理装置は、前記料理の注文を格納する格納部をさらに含み、前記オーダー入力装置は、前記持ち帰り注文の受付を開始する旨の受付開始情報を受け付けると、前記料理の注文を要求する旨の要求情報を、前記管理装置に送信し、その後、前記管理装置から前記料理の注文を受信し、その受信された料理の注文を表示し、前記管理装置は、前記要求情報を受け付けると、前記格納部に格納された料理の注文を前記オーダー入力装置へ送信する。
【００１６】
上記の発明によれば、オーダー入力装置は、既に受け付けられた料理の注文を管理装置から取得する。このため、オーダー入力装置は、既に受け付けられた料理の注文を、常に格納しておかなくて済む。
【００１７】
また、前記持ち帰り注文が、前記料理の注文と異なる形態で、前記出力装置から出力されることが望ましい。
【００１８】
上記の発明によれば、従業員が持ち帰り注文と料理の注文とを混同することを防止可能になる。
【発明の効果】
【００１９】
本発明によれば、食べ残した料理を持ち帰る旨の注文を複数の従業員が容易に共有することが可能になる。
【発明を実施するための最良の形態】
【００２０】
以下、本発明の実施例を、図面を参照して説明する。
【００２１】
図１は、本発明の一実施例のオーダーシステムを示したブロック図である。
【００２２】
図１において、本オーダーシステムは、オーダー入力装置１と、管理装置２と、出力装置３とを含む。
【００２３】
オーダー入力装置１は、通信部１１と、メニュー入力部１２と、制御部１３と、持ち帰り宣言受付部１４と、メニュー表示部１５と、を含む。管理装置２は、通信部２１と、制御部２２と、格納部２３とを含む。制御部２２は、判断制御部２２ａと、通信部２２ｂとを含む。出力装置３は、通信部３１と、出力部３２とを含む。出力部３２は、表示部３２ａとプリンタ３２ｂとを含む。
【００２４】
オーダー入力装置１の通信部１１は、オーダー入力側通信部の一例であり、管理装置２（具体的には、通信部２１）と通信する。例えば、通信部１１は、通信部２１と無線通信する。
【００２５】
メニュー入力部１２は、入力部の一例であり、料理の注文を受け付ける。
【００２６】
本実施例では、メニュー入力部１２は、お客が店内で食べる料理の注文を受け付ける料理注文受付キー（不図示）と、料理の注文の受付完了を受け付ける受付完了キー（不図示）と、を含む。
【００２７】
制御部１３は、オーダー入力装置１全体を制御する。
【００２８】
制御部１３は、例えば、受付完了キーが操作されると、受付完了キーが操作される前に料理注文受付キーが受け付けた料理の注文を、受け付けが完了した料理の注文（以下「受付完了注文」）として、認識する。
【００２９】
また、制御部１３は、受付完了注文を管理装置２に送信する送信処理を、通信部１１に実行させる。なお、管理装置２の判断制御部２２ａは、通信部２１が受付完了注文を受信すると、その受信された受付完了注文を格納部２３に格納する。
【００３０】
持ち帰り宣言受付部１４は、受付部の一例であり、持ち帰り宣言を受け付ける。なお、持ち帰り宣言は、持ち帰り注文の受付を開始する旨の受付開始情報の一例である。
【００３１】
制御部１３は、持ち帰り宣言受付部１４が持ち帰り宣言を受け付けると、受付完了注文を要求する旨の要求情報を管理装置２に送信する送信処理を、通信部１１に実行させる。
【００３２】
また、制御部１３は、通信部１１が、要求情報に応じて管理装置２から送信された受付完了注文を受信すると、その受信された受付完了注文をメニュー表示部１５に表示する。
【００３３】
メニュー表示部１５は、表示部の一例であり、受付完了注文を表示する。
【００３４】
また、メニュー入力部１２の料理注文受付キーは、メニュー表示部１５に表示された受付完了注文（料理の注文）のうちのいずれかを、持ち帰る料理として選択する旨の持ち帰り注文を受け付ける。
【００３５】
制御部１３は、メニュー入力部１２が持ち帰り注文を受け付けると、その受け付けられた持ち帰り注文を管理装置２に送信する送信処理を、通信部１１に実行させる。
【００３６】
管理装置２の通信部２１は、管理側通信部の一例であり、オーダー入力装置１（具体的には、通信部１１）と通信する。例えば、通信部２１は、通信部１１と無線通信する。
【００３７】
通信部２１は、通信部１１から送信された受付完了注文、要求情報、および、持ち帰り注文を個別に受け付け、また、格納部２３に格納された受付完了注文を、通信部１１に送信する。
【００３８】
制御部２２は、管理装置２全体を制御する。
【００３９】
判断制御部２２ａは、通信部２１が、受付完了注文を受信すると、その受信された受付完了注文を格納部２３に格納し、また、その受付完了注文を出力装置３に送信する送信処理を、通信部２２ｂに実行させる。
【００４０】
また、判断制御部２２ａは、通信部２１が要求情報を受信すると、格納部２３に格納された受付完了注文をオーダー入力装置１へ送信する送信処理を、通信部２１に実行させる。
【００４１】
また、判断制御部２２ａは、通信部２１が持ち帰り注文を受信すると、その受信された持ち帰り注文を出力装置３に送信する送信処理を、通信部２２ｂに実行させる。
【００４２】
通信部２２ｂは、出力装置３（具体的には、通信部３１）と通信する。例えば、通信部２２ｂは、通信部３１と無線通信する。
【００４３】
格納部２３は、受付完了料理の注文を格納する。
【００４４】
出力装置３の通信部３１は、管理装置２（具体的には、通信部２２ｂ）と通信する。例えば、通信部３１は、通信部２２ｂと無線通信する。
【００４５】
出力部３２は、通信部３１が、受付完了注文を受信すると、その受信された受付完了注文を、所定の形態で出力する。
【００４６】
例えば、出力部３２の表示部３２ａは、受付完了注文を、特定の色（例えば、黒色）で表示する。また、出力部３２のプリンタ３２ｂは、受付完了注文を、特定の色（例えば、黒色）で印刷する。
【００４７】
また、出力部３２は、通信部３１が持ち帰り注文を受信すると、その持ち帰り注文を、料理の注文と異なる形態で出力する。
【００４８】
例えば、出力部３２の表示部３２ａは、その持ち帰り注文を、特定の色と異なる所定の色（例えば、赤色）で表示する。また、出力部３２のプリンタ３２ｂは、その持ち帰り注文を、特定の色と異なる所定の色（例えば、赤色）で印刷する。
【００４９】
次に、動作を説明する。
【００５０】
図２は、オーダーシステムの動作を説明するためのシーケンス図である。なお、図２において、図１に示したものと同一のものには同一符号を付してある。以下、図２を参照して、オーダーシステムの動作を説明する。
【００５１】
オーダー入力装置１を使用している従業員が、お客から受け付けた料理の注文に応じて、メニュー入力部１２の料理注文受付キーを操作すると、メニュー入力部１２は、ステップ２０１を実行する。
【００５２】
ステップ２０１では、メニュー入力部１２は、料理の注文を受け付ける。メニュー入力部１２は、その受け付けられた料理の注文を、制御部１３に提供する。
【００５３】
その後、オーダー入力装置１を使用している従業員が、受付完了キーを操作すると、メニュー入力部１２は、ステップ２０２を実行する。
【００５４】
ステップ２０２では、メニュー入力部１２は、受付完了を受け付ける。メニュー入力部１２は、その受け付けられた受付完了を、制御部１３に提供する。
【００５５】
制御部１３は、料理の注文を受け付けた後に受付完了を受け付けると、ステップ２０３を実行する。
【００５６】
ステップ２０３では、制御部１３は、受付完了を受け付ける前に受け付けた料理の注文、つまり、受付完了注文を、通信部１１から管理装置２に送信する。
【００５７】
管理装置２の通信部２１が、受付完了注文を通信部１１から受信すると、判断制御部２２ａは、ステップ２０４を実行する。
【００５８】
ステップ２０４では、判断制御部２２ａは、その受信された受付完了注文を格納部２３に格納する。判断制御部２２ａは、受付完了注文を格納部２３に格納すると、ステップ２０５を実行する。
【００５９】
ステップ２０５では、判断制御部２２ａは、その受信された受付完了注文を、通信部２２ｂから出力装置３に送信する。
【００６０】
出力装置３の通信部３１が、受付完了注文を通信部２２ｂから受信すると、出力部３２は、ステップ２０６を実行する。
【００６１】
ステップ２０６では、出力部３２は、その受信された受付完了注文を、所定の形態で出力する。例えば、出力部３２の表示部３２ａは、受付完了注文を、特定の色で表示する。また、出力部３２のプリンタ３２ｂは、受付完了注文を、特定の色で印刷する。
【００６２】
例えば、厨房で働く従業員は、出力部３２の出力により料理の注文を確認し、その注文された料理を作る。
【００６３】
その後、受付完了注文にて注文された料理がお客に提供され、お客はその料理を店内で食べ始める。
【００６４】
その後、お客が、食べ残した料理を持ち帰る旨を、オーダー入力装置１を使用している従業員に伝えると、その従業員は、持ち帰り宣言受付部１４を操作する。従業員が、持ち帰り宣言受付部１４を操作すると、持ち帰り宣言受付部１４は、ステップ２０７を実行する。
【００６５】
ステップ２０７では、持ち帰り宣言受付部１４は、持ち帰り宣言を受け付ける。持ち帰り宣言受付部１４は、その受け付けられた持ち帰り宣言を制御部１３に提供する。制御部１３は、持ち帰り宣言を受け付けると、ステップ２０８を実行する。
【００６６】
ステップ２０８では、制御部１３は、要求情報を、通信部１１から管理装置２に送信する。
【００６７】
管理装置２の通信部２１が、要求情報を通信部１１から受信すると、判断制御部２２ａは、ステップ２０９を実行する。
【００６８】
ステップ２０９では、判断制御部２２ａは、格納部２３に格納された受付完了注文を、通信部２１から通信部１１に送信する。
【００６９】
オーダー入力装置１の通信部１１が、受付完了注文を通信部２１から受信すると、制御部１３は、ステップ２１０を実行する。
【００７０】
ステップ２１０では、制御部１３は、その受信された受付完了注文を、メニュー表示部１５に表示する。本実施例では、制御部１３は、受付完了注文に示された料理の一覧を、メニュー表示部１５に表示する。
【００７１】
食べ残した料理を持ち帰る旨を従業員に伝えたお客は、メニュー表示部１５に表示された料理の一覧から、持ち帰る料理を選択し、その選択結果、すなわち、持ち帰り注文を、オーダー入力装置１を使用している従業員に伝える。
【００７２】
その従業員は、その選択結果（持ち帰り注文）に応じて、メニュー入力部１２の料理注文受付キーを操作すると、メニュー入力部１２は、ステップ２１１を実行する。
【００７３】
ステップ２１１では、メニュー入力部１２は、メニュー表示部１５に表示された受付完了注文の中からお客にて選択された持ち帰り料理を示す持ち帰り注文を受け付ける。メニュー入力部１２は、その受け付けられた持ち帰り注文を制御部１３に提供する。制御部１３は、持ち帰り注文を受け付けると、ステップ２１２を実行する。
【００７４】
ステップ２１２では、制御部１３は、その受け付けられた持ち帰り注文を、通信部１１から管理装置２に送信する。
【００７５】
管理装置２の通信部２１が、通信部１１から持ち帰り注文を受信すると、判断制御部２２ａは、ステップ２１３を実行する。
【００７６】
ステップ２１３では、判断制御部２２ａは、その受信された持ち帰り注文を、通信部２２ｂから出力装置３に送信する。
【００７７】
出力装置３の通信部３１が、持ち帰り注文を通信部２２ｂから受信すると、出力部３２は、ステップ２１４を実行する。
【００７８】
ステップ２１４では、出力部３２は、その持ち帰り注文を、料理の注文と異なる形態で出力する。例えば、出力部３２の表示部３２ａは、その持ち帰り注文を、特定の色と異なる所定の色で表示する。また、出力部３２のプリンタ３２ｂは、その持ち帰り注文を、特定の色と異なる所定の色で印刷する。
【００７９】
お客から持ち帰り注文を受け付けていない従業員は、出力部３２の表示または印刷を見て、持ち帰り注文が受け付けられたことを認識する。
【００８０】
なお、例えば、管理装置２は、受付完了注文に対しては売上を計上し、持ち帰り注文に対しては売上を計上しない。このため、正確な売上を計算することが可能となる。
【００８１】
本実施例によれば、オーダー入力装置１が、持ち帰り注文を受け付け、出力装置３が、その受け付けられた持ち帰り注文を出力する。したがって、持ち帰り注文の出力により、持ち帰り注文を受け付けた従業員と異なる従業員も、持ち帰り注文を受け付けたことを容易に認識することが可能となる。
【００８２】
このため、持ち帰り注文を受け付けた従業員と異なる従業員は、持ち帰り注文を受け付けた従業員から作業応援の指示を受けなくても、その持ち帰り注文に応じた作業を自立的に行うことが可能になる。
【００８３】
よって、持ち帰り注文に応じた一連の作業を複数の従業員で分担でき、店舗内での作業効率が向上する。
【００８４】
例えば、持ち帰り注文を直接受け付けた従業員が、持ち帰られる料理を梱包場所まで運び、持ち帰り注文の出力により持ち帰り注文を受け付けたことを知った従業員が、その持ち帰られる料理の梱包と、その梱包された料理をお客に提供することが可能になる。
【００８５】
また、持ち帰り料理は、受け付けが完了した料理の注文の中から選択される。このため、持ち帰り料理を誤認する可能性を低くすることが可能になる。
【００８６】
また、本実施例では、オーダー入力装置１は、持ち帰り宣言を受け付けると、要求情報を管理装置２に送信する。管理装置２は、要求情報を受け付けると、格納部２３に格納された受付完了注文をオーダー入力装置１へ送信する。オーダー入力装置１は、管理装置２から受付完了注文を受信し、その受信された受付完了注文を表示する。
【００８７】
この場合、オーダー入力装置１は、受付完了注文を管理装置２から取得する。このため、オーダー入力装置１は、受付完了注文を、常に格納しておかなくて済む。
【００８８】
また、本実施例では、管理装置２は、持ち帰り注文を、受付完了注文（料理の注文）と異なる形態で、出力装置３から出力させる。
【００８９】
この場合、従業員が持ち帰り注文と受付完了注文（料理の注文）とを混同することを防止可能になる。
【００９０】
本実施例によれば、以下のような効果を奏する。
【００９１】
第１の効果は、商品（料理）を持ち帰って家族等に食べさせてあげたい、子供が食べきれない分を持ち帰りたいなどの要望に迅速に対応することが可能になることにある。
【００９２】
また、持ち帰り注文を依頼された従業員は、料理を下げれば、お客のいるフロアに戻れるため、他のサービスを行うことが可能になる。
【００９３】
その理由は、商品をお客から梱包を行う場所まで運ぶ従業員と、梱包、提供する従業員とで、作業を分担でき、作業の効率化を図ることが可能になるからである。
【００９４】
第２の効果は、お客が料理を持ち帰りやすくなり、店舗内の残飯を減少することが可能になる。
【００９５】
その理由は、オーダーシステムが持ち帰り注文の処理を支援するため、従業員内で持ち帰り注文の処理運用が定着し、持ち帰り注文が依頼されても、従業員は困惑せずにその注文の対応できるためである。
【００９６】
以上説明した実施例において、図示した構成は単なる一例であって、本発明はその構成に限定されるものではない。
【図面の簡単な説明】
【００９７】
【図１】本発明の一実施例のオーダーシステムを示したブロック図である。
【図２】図１に示したオーダーシステムの動作を説明するためのシーケンス図である。
【符号の説明】
【００９８】
１      オーダー入力装置
１１    通信部
１２    メニュー入力部
１３    制御部
１４    持ち帰り宣言受付部
１５    メニュー表示部
２      管理装置
２１    通信部
２２    制御部
２２ａ  判断制御部
２２ｂ  通信部
２３    格納部
３      出力装置
３１    通信部
３２    出力部
３２ａ  表示部
３２ｂ  プリンタ
【図１】
2007041773.tif 000003
【図２】
2007041773.tif 000004